(57)【要約】      （修正有）【課題】安全且つ簡単に防塵カバーを煙感知器等の装置に取り付けることが可能な取り付け器具を提供する。【解決手段】取り付け器具は、煙感知器１００を覆うビニールシート５１と、当該シートを煙感知器１００に固定するための弾性バンド５２とを有する防塵カバー５０を煙感知器１００に取り付けるための器具であって、柄２０と、柄２０の一端側に設けられてビニールシート５１が載せられる台座３０と、台座３０に設けられ、弾性バンド５２を伸張させた状態で保持し、天井１０１に押し当てられたときに弾性バンド５２を開放するバンド保持部４０とを備える。防塵カバー５０は、ビニールシート５１の一部を弾性バンド５２の環の中に挿入した状態で取り付け器具にセットされる。【選択図】図５
2013246712.tif 000002
【特許請求の範囲】
【請求項１】
装置を覆うシートと、当該シートを前記装置又はその被設置部に固定するための弾性バンドとを有する防塵カバーを前記装置に取り付けるための器具であって、
柄と、
前記柄の一端側に設けられ、前記シートが載せられる台座と、
前記台座に設けられ、前記弾性バンドを伸張させた状態で保持し、前記被設置部に押し当てられたときに前記弾性バンドを開放するバンド保持部と、
を備え、
前記シートの一部を前記弾性バンドの環の中に挿入した状態として前記防塵カバーをセット可能な、防塵カバーの取り付け器具。
【請求項２】
請求項１に記載の取り付け器具において、
前記台座は、前記柄が底部に接続され、前記柄と反対側に開口部が向き、前記装置を囲うことが可能なカップであり、
前記バンド保持部は、前記カップの開口縁部に設けられる、取り付け器具。
【請求項３】
請求項２に記載の取り付け器具において、
前記バンド保持部は、前記開口縁部に沿って複数設けられる、取り付け器具。
【請求項４】
請求項１〜３のいずれか１項に記載の取り付け器具において、
前記バンド保持部は、
前記台座に対して回転可能に取り付けられ、前記被設置部に押し当てられて回転するレバー部と、
前記レバー部に設けられ、前記弾性バンドが引っ掛けられるフック部と、
を有する、取り付け器具。
【請求項５】
請求項１〜４のいずれか１項に記載の取り付け器具において、
前記柄は、互いに着脱自在又は伸縮自在に連結された複数のロッドから構成される、取り付け器具。
【請求項６】
請求項１〜５のいずれか１項に記載の取り付け器具において、
前記装置は、煙感知器又はカメラである、取り付け器具。
【発明の詳細な説明】
【技術分野】
【０００１】
本発明は、防塵カバーの取り付け器具に関する。
【背景技術】
【０００２】
煙感知器は、種々の建造物において、天井等の高所に設置されている。煙感知器は、火災発生時の煙を検知するものであるが、例えば、煙感知器が設置された場所で、ハツリ作業やサンダ―作業、溶接作業等の工事が実施された場合、かかる工事で発生する塵埃によって煙感知器が誤作動（火災発生時以外の作動）する恐れがある。
【０００３】
上記事情に鑑みて、塵埃が発生する工事を実施する場合には、通常、煙感知器をビニールカバー等で覆うことにより誤作動を防止する。例えば、特許文献１には、煙感知器を覆う袋と、煙感知器を覆った袋を煙感知器に留める弾性を有する留め部材と、留め部材に先端部が接続された繋ぎ部材とを備え、当該袋が繋ぎ部材の基端部を引き下ろすことで煙感知器から取り外される煙感知器用保護カバーが開示されている。
【先行技術文献】
【特許文献】
【０００４】
【特許文献１】特開２００９‐２５１６５７号公報
【発明の概要】
【発明が解決しようとする課題】
【０００５】
特許文献１に開示されたカバーによれば、高所に設置された煙感知器からカバーを容易に取り外すことができる。しかし、特許文献１の技術では、カバーの取り付け作業を改善する点について考慮されておらず、煙感知器にカバーを取り付ける際には、例えば、脚立の使用を余儀なくされる。また、煙感知器以外の装置、例えば、天井に設置された監視カメラ等についても、上記工事等で発生する塵埃から保護したいという要請がある。
即ち、本発明の目的は、安全且つ簡単に防塵カバーを煙感知器等の装置に取り付けることが可能な取り付け器具を提供することである。
【課題を解決するための手段】
【０００６】
本発明に係る防塵カバーの取り付け器具は、装置を覆うシートと、当該シートを前記装置又はその被設置部に固定するための弾性バンドとを有する防塵カバーを前記装置に取り付けるための器具であって、柄と、前記柄の一端側に設けられ、前記シートが載せられる台座と、前記台座に設けられ、前記弾性バンドを伸張させた状態で保持し、前記被設置部に押し当てられたときに前記弾性バンドを開放するバンド保持部とを備え、前記シートの一部を前記弾性バンドの環の中に挿入した状態として前記防塵カバーをセット可能であることを特徴とする。
なお、前記装置としては、煙感知器又はカメラが挙げられる。
【０００７】
上記構成によれば、柄を持って、バンド保持部を天井等の被設置部に押し当てるという簡便な操作により、シートを天井等に設置された装置に取り付けることができる。具体的には、バンド保持部を被設置部に押し当てることで弾性バンドが開放され、弾性バンドの環の中に挿入されたシートの一部が煙感知器等に弾性バンドで固定される。
【０００８】
本発明に係る取り付け器具において、前記台座は、前記柄が底部に接続され、前記柄と反対側に開口部が向き、前記装置を囲うことが可能なカップであり、前記バンド保持部は、前記カップの開口縁部に設けられることが好適である。
当該構成によれば、防塵カバーをセットし易く、且つ当該カバーを装置に取り付け易くなる。カップ型の台座は、装置をすっぽりと覆うことができ、この状態で防塵カバーを煙感知器に取り付けることができるため、装置の全体を覆うようにカバーを取り付けることが可能となる。
【０００９】
また、前記バンド保持部は、前記開口縁部に沿って複数設けられることが好適である。
当該構成によれば、弾性バンドの保持性が向上して、防塵カバーの取り付けがさらに容易となる。
【００１０】
本発明に係る取り付け器具において、前記バンド保持部は、前記台座に対して回転可能に取り付けられ、前記被設置部に押し当てられて回転するレバー部と、前記レバー部に設けられ、前記弾性バンドが引っ掛けられるフック部とを有する構成とすることができる。
【００１１】
本発明に係る取り付け器具において、前記柄は、互いに着脱自在又は伸縮自在に連結された複数のロッドから構成されることが好適である。
当該構成によれば、装置が設置される天井等の高さに応じて柄の長さを調整することができ、作業性が向上する。
【発明の効果】
【００１２】
本発明に係る防塵カバーの取り付け器具によれば、脚立等を使用することなく、高所に設置された煙感知器等の装置に防塵カバーを容易に取り付けることができる。つまり、本発明に係る取り付け器具を用いることにより、安全で効率良く防塵カバーを取り付けることが可能となる。
なお、防塵カバーに、当該カバーから垂れ下がる紐を設けることにより、カバーの取り外しも容易になる。
【図面の簡単な説明】
【００１３】
【図１】本発明の実施形態である防塵カバーの取り付け器具を示す正面図である。
【図２】図１に示す取り付け器具の上面図である。
【図３】図１のＡ部拡大図である。
【図４】図１に示す取り付け器具の分解図である。
【図５】図１に示す取り付け器具に、防塵カバーをセットした状態を示す図である。
【図６】図１に示す取り付け器具を用いて、防塵カバーを煙感知器に取り付ける様子を示す図である。
【図７】図１に示す取り付け器具を用いて、防塵カバーを煙感知器に取り付ける様子を示す図である。
【図８】本発明の実施形態である防塵カバーを煙感知器に取り付けた様子を示す図である。
【図９】本発明の実施形態である取り付け器具の第１の変形例を示す図である。
【図１０】本発明の実施形態である取り付け器具の第２の変形例を示す図である。
【発明を実施するための形態】
【００１４】
図面を参照しながら、本発明の実施形態である防塵カバーの取り付け器具１０（以下、「取り付け器具１０」とする）について以下詳細に説明するが、取り付け器具１０は実施形態の一例であって本発明の適用はこれに限定されない。
また、防塵カバーが取り付けられる装置として煙感知器１００を例示するが、煙感知器１００は実施形態の一例であって本発明の適用はこれに限定されない。例えば、当該装置には、カメラ、或いは照明器具やスピーカー、空調設備等が含まれる。カメラの具体例としては、天井に設置されたドーム型のカメラ（監視カメラ）が挙げられる。
【００１５】
以下例示する防塵カバー５０は、煙感知器１００を覆うビニールシート５１と、当該シートを煙感知器１００又はその被設置部に固定するための弾性バンド５２とを有する。ビニールシート５１は、誤作動の原因となる塵埃を透過しないシートであればよく、種々の樹脂からなる薄膜シートが例示できる。なお、ビニールシート５１は、袋状に成形されていてもよい。弾性バンド５２は、伸縮性を有する環状のバンドであればよく、輪ゴムが例示できる。なお、弾性バンド５２は、ビニールシート５１に貼り付けられる等して一体化されていてもよい。ビニールシート５１には、取り外し用の紐５３が取り付けられており、これを引っ張ることで防塵カバー５０を煙感知器１００から取り外すことができる。
【００１６】
以下例示する煙感知器１００は、従来公知の一般的な煙感知器であって、例えば、装置に流入する煙を検知して煙濃度が所定値以上となったときに火災発生信号を出力する。煙感知器１００は、円盤形状を呈し、水平方向に平行な天井１０１に設置されている。以下では、煙感知器１００の鉛直方向に沿った曲面を「側面」と称する。なお、取り付け器具１０は、天井１０１に設置された煙感知器１００に好適であるが、被設置部が壁面等であっても使用することができる。
【００１７】
実施形態の説明では、説明の便宜上、方向を示す用語を使用する。取り付け器具１０は、台座３０が取り付けられる柄２０の一端側を鉛直上方に向けて使用されるので、当該一端側を「上」、柄２０の他端側を「下」と称する場合がある。また、柄２０の長手方向に沿った方向を「上下方向」と称する場合がある。
【００１８】
まず、図１〜図４を参照しながら、取り付け器具１０の構成について詳説する。
図１は、取り付け器具１０を示す正面図、図２は、取り付け器具１０の上面図である。図３は、図１のＡ部拡大図であって、バンド保持部４０の近傍を拡大して示す。図４は、取り付け器具１０の分解図である。
【００１９】
取り付け器具１０は、柄２０と、柄２０の一端側に取り付けられる台座３０と、台座３０に取り付けられるバンド保持部４０とを備える。取り付け器具１０は、煙感知器１００が設置された場所において、例えば、ハツリ作業やサンダ―作業、溶接作業等の工事を実施する場合に、煙感知器１００の誤作動を防止すべく、防塵カバー５０を煙感知器１００に取り付ける際に使用される。
【００２０】
取り付け器具１０は、下から順に、柄２０、台座３０、バンド保持部４０が配置された構造を有する。即ち、バンド保持部４０は、取り付け器具１０の上端に設けられる。柄２０は上下方向に真っ直ぐ延び、取り付け器具１０の全長の５０％以上、好ましくは７０％以上が柄２０の長さである。これにより、高所（天井１０１）に設置された煙感知器１００に、脚立等を使用することなく防塵カバー５０を取り付けることが可能となる。台座３０には、防塵カバー５０がセットされ、バンド保持部４０は、台座３０にセットされた防塵カバー５０の弾性バンド５２を伸張した状態で保持する。
【００２１】
なお、取り付け器具１０は、金属製、プラスチック製のいずれであってもよい。但し、柄２０、台座３０は、作業性等の観点から、軽量なプラスチック製であることが好ましい。バンド保持部４０は、耐久性等の観点から、金属製であることが好ましい。
【００２２】
柄２０は、互いに着脱自在又は伸縮自在に連結された複数のロッド２１から構成されている。柄２０（ロッド２１）は、例えば、長手方向に直交する断面の形状が円形状の丸棒であるが、かかる断面形状は多角形状（例えば、四角形や六角形）であってもよい。柄２０の長さは、天井１０１の高さ等に応じて任意に設定でき、ロッド２１の数は適宜調整される。
【００２３】
柄２０は、例えば、各ロッド２１の一端に雄ネジ構造が、他端に雌ネジ構造がそれぞれ形成され、各ロッド２１が互いに着脱自在な構造とされる。或いは、各ロッド２１の直径を異ならせて、所謂入れ子式の伸縮自在な構造としてもよい。各ロッド２１の連結部分にはロックリングを設けることができ、取り付け器具１０の使用中に柄２０の長さが変化する、或いはロッド２１が外れるといった不具合を防止できる。
【００２４】
柄２０には、その一端に台座３０が取り付けられ、その他端に把手部２２が設けられる。即ち、把手部２２は、取り付け器具１０の下端に設けられる。把手部２２は、作業者により把持される部分であって、例えば、ゴム製のグリップ等を取り付けることができる。
【００２５】
台座３０は、上記のように、防塵カバー５０がセットされる部分である。台座３０は、上面視円形状の底部３１と、底部３１の上面に立設した壁部３２とからなるカップ形状を有する。カップ型の台座３０（以下、単に「カップ」という場合がある）は、壁部３２が底部３１の上面の周縁に沿って設けられており、開口部３３が上方に向いた有底円筒形状を呈している。即ち、開口部３３は、柄２０と反対側に向く。そして、台座３０の凹状部（カップ内）には、煙感知器１００が納まる。つまり、台座３０の円筒形状は、煙感知器１００を囲うことが可能な寸法とされる。なお、台座３０の形状は、円筒形状に限定されず、煙感知器の形状等に応じて任意に変更できる。
【００２６】
台座３０には、柄２０及びバンド保持部４０が取り付けられる。バンド保持部４０は、詳しくは後述するように、開口縁部３４に取り付けられる。柄２０は底部３１に取り付けられ、底部３１の中央には柄２０を取り付けるための取り付け部３５が形成されている。取り付け部３５は、底部３１を貫通した貫通孔であって、孔の内面にはネジが切られている。即ち、取り付け部３５は、ロッド２１の雄ネジ構造に対応する雌ネジ構造を有する。そして、柄２０のロッド２１は、底部３１の下面側から取り付け部３５にねじ込まれて取り付けられる。
【００２７】
バンド保持部４０は、上記のように、弾性バンド５２を伸張した状態で保持する機能を有する。また、バンド保持部４０は、煙感知器１００の被設置部である天井１０１に押し当てられたときに弾性バンド５２を開放する機能を有する。当該機能を実現するために、バンド保持部４０は、レバー部４１と、フック部４２と、固定部４３とを有する。
【００２８】
バンド保持部４０は、壁部３２の上端に固定される。壁部３２及び固定部４３には、例えば、ビス孔が形成されており、固定部４３は、壁部３２の外面に接した状態でビス４４を用いて固定される。そして、バンド保持部４０は、台座３０の開口縁部３４に沿って複数（例えば、６つ）設けられる。６つのバンド保持部４０は、例えば、互いに等間隔（６０°間隔）で配置される。
【００２９】
レバー部４１の長手方向一端（以下、単に「一端」という場合がある）には、弾性バンド５２が引っ掛けられるフック部４２が形成されている。レバー部４１は、その長手方向がカップの径方向に沿うように配置され、上面視すると、フック部４２がカップの内側に位置し、フック部４２を除くレバー部４１の大部分がカップの外側に位置している。
【００３０】
レバー部４１は、固定部４３に対して規制された角度範囲で回転可能に支持されている。レバー部４１と固定部４３との接続部分には軸方向が上下方向に対して直交する回転軸４５が設けられ、これにより、レバー部４１が回転軸４５を中心として上下運動可能となる。また、レバー部４１は、上方に向かって凸となるように湾曲して、長手方向他端側よりも一端側が下方に位置した状態で固定部４３に支持されている。バンド保持部４０は、例えば、レバー部４１と固定部４３との接続部分に図示しないコイルバネを有し、これにより、レバー部４１の一端側が下方に向かって付勢されている。なお、コイルバネの付勢力と、レバー部４１の一端が固定部４３に当接することとにより、かかる支持形態が維持される。
【００３１】
つまり、バンド保持部４０は、フック部４２が形成されたレバー部４１の一端が他端よりも下方に下がった状態において、弾性バンド５２を伸張した状態で保持することができる。そして、バンド保持部４０が天井１０１に押し当てられてフック部４２が持ち上がったときに、弾性バンド５２がフック部４２から外れるように構成されている。
【００３２】
次に、図５を参照しながら、取り付け器具１０に防塵カバー５０をセットした状態について詳説する。図５は、防塵カバー５０がセットされた台座３０を拡大して示す図であって、一部を断面図としている。
【００３３】
防塵カバー５０は、上記のように、台座３０にセットされる。具体的には、ビニールシート５１の一部がカップ内に収容され、残りの部分がカップから食み出るようにセットされる。このとき、取り外し用の紐５３が、カップから食み出して柄２０に沿って垂れ下がるようにセットする。
【００３４】
弾性バンド５２は、複数のバンド保持部４０のフック部４２に引っ掛けられる。なお、弾性バンド５２は、バンド保持部４０により伸張した状態で保持され、且つフック部４２から外れたときにビニールシート５１を煙感知器１００に固定できるように、環の寸法等を設定する必要がある。６つのバンド保持部４０を用いて弾性バンド５２を保持した場合、弾性バンド５２は上面視六角形状の環となる。そして、この環の中にビニールシート５１の一部が挿入される。
【００３５】
次に、図６〜図８を参照して取り付け器具１０の使用方法を例示しながら、取り付け器具１０の動作について詳説する。図６，７は、取り付け器具１０を用いて、防塵カバー５０を煙感知器１００に取り付ける様子を示す図である。図７は、取り付け器具１０が天井１０１に押し付けられたときの様子を示す。図８は、防塵カバー５０が煙感知器１００に取り付けられた様子を示す。
【００３６】
図６に示すように、取り付け器具１０を用いて防塵カバー５０を煙感知器１００に取り付ける場合、作業者２００は、柄２０の把手部２２を持って防塵カバー５０がセットされた台座３０を上方に持ち上げる。そして、台座３０を天井１０１に近づけて、台座３０の上端に取り付けられたバンド保持部４０を煙感知器１００の周縁の天井１０１に押し当てる。このとき、下方から見上げると、台座３０によって煙感知器１００がすっぽりと覆われた状態となる。そして、煙感知器１００は、バンド保持部４０により保持された弾性バンド５２の環の中に入り込む。
【００３７】
図７に示すように、レバー部４１が天井１０１に押し当てられると、まずレバー部４１の他端側が天井１０１に当たって押し下げられ、レバー部４１の他端側（フック部４２）が上方に持ち上がる。これにより、弾性バンド５２がフック部４２から外れる。弾性バンド５２は、伸張した状態で保持されていたため、フック部４２から外れて開放されると元のサイズに戻ろうとする。そして、弾性バンド５２は煙感知器１００の側面に巻かれた状態となるが、このとき、弾性バンド５２の環の中に挿入されたビニールシート５１が弾性バンド５２と煙感知器１００との間に挟まれて固定される。
【００３８】
こうして、図８に示すように、防塵カバー５０が煙感知器１００に取り付けられる。煙感知器１００は、その全体がビニールシート５１により覆われている。なお、ビニールシート５１からは、作業者２００の手の届く高さまで取り外し用の紐５３が垂れ下がっている。したがって、作業者２００は、取り外し用の紐５３を引っ張ることにより、脚立等を使用することなく、容易に防塵カバー５０を取り外すことができる。
【００３９】
以上のように、取り付け器具１０によれば、脚立等を使用することなく、高所（天井１０１）に設置された煙感知器１００に防塵カバー５０を容易に取り付けることができる。したがって、取り付け器具１０を用いることにより、安全で効率の良い防塵カバー５０の取り付け作業が実現できる。
【００４０】
なお、上記実施形態は、本発明の目的を損なわない範囲で適宜設計変更できる。
例えば、取り付け器具１０は、柄２０と、台座３０と、バンド保持部４０とに分解できるものとして説明したが、取り付け器具の各構成要素が一体成形された構造であってもよい。また、柄２０の長さが一定で変化しない構造であってもよい。
【００４１】
上記実施形態では、壁部３２を有するカップ型の台座３０を例示したが、円盤状の底部３１のみからなる台座とすることもできる。この場合、円盤状台座の上面に複数のバンド保持部４０を取り付けることができる。
【００４２】
図９に示すように、バンド保持部として、弾性バンド５２を挟んで保持することができるクリップ６０を用いてもよい。クリップ６０には、市販のペーパークリップを使用できるが、天井１０１に押し当てられたときに開き易いように、一方のサイドレバー６１を上方に向かって折り曲げておくことが好ましい。クリップ６０は、バンド保持部４０と同様に、台座３０の壁部３２に対して開閉動作可能に取り付けられる。具体的には、他方のサイドレバー６２を利用して、壁部３２にビス留めすることができる。即ち、サイドレバー６２は、固定部として機能する。
【００４３】
図１０に示すように、バンド保持部として、上下方向に移動可能なピン７０を用いてもよい。ピン７０は、弾性バンド５２が引っ掛けられるフック部７１を有する。そして、ピン７０の上下運動を実現するために、ピン７０を収容するケース７２と、ケース７２内に設置されてピン７０を上方に付勢するスプリング７３とが設けられる。ケース７２は、バンド保持部４０と同様に、台座３０の壁部３２に取り付けられている。当該構成では、ピン７０が天井１０１に押し当てられるとスプリング７３の付勢力に対向してピン７０が下方に移動する。このとき、フック部７１と共に弾性バンド５２も下方に移動するが、弾性バンド５２は、壁部３２の上端に当たるため、ピン７０が壁部３２の上端よりも下がると弾性バンド５２がフック部７１から外れる仕組みである。
【符号の説明】
【００４４】
１０  防塵カバーの取り付け器具、２０  柄、２１  ロッド、２２  把手部、３０  台座、３１  底部、３２  壁部、３３  開口部、３４  開口縁部、３５  取り付け部、４０  バンド保持部、４１  レバー部、４２  フック部、４３  固定部、４４  ビス、４５  回転軸、５０  防塵カバー、５１  ビニールシート、５２  弾性バンド、５３  取り外し用の紐、１００  煙感知器、１０１  天井。
【図１】
2013246712.tif 000003
【図２】
2013246712.tif 000004
【図３】
2013246712.tif 000005
【図４】
2013246712.tif 000006
【図５】
2013246712.tif 000007
【図６】
2013246712.tif 000008
【図７】
2013246712.tif 000009
【図８】
2013246712.tif 000010
【図９】
2013246712.tif 000011
【図１０】
2013246712.tif 000012